(57)【要約】【課題】車載用表示装置の脱落を防止する。【解決手段】  設置箇所に固定されるベース２１と、一方の端部が前記ベース２１に取り付けられ、他方の端部にディスプレイ１０を保持するディスプレイ保持部２４が設けられたアーム２２とを有するディスプレイスタンド２０に保持されるディスプレイ１０に、下端が開放され、該下端から挿入されたディスプレイ保持部２４がディスプレイ１０の上下方向に移動可能に嵌合する嵌合溝１１と、嵌合溝１１の下端に設けられた、嵌合溝１１と嵌合しているディスプレイ保持部２４が下端から外れることを防止する防止部材１３と、防止部材１３を取り付けるための取付部１２とを有する脱落防止機構を設ける。【選択図】図１
2005148347.tif 000002
【特許請求の範囲】
【請求項１】
保持部からの脱落防止機構を備えた表示装置であって、
前記保持部は、設置箇所に固定されるベース部と、一方の端部が前記ベース部に取り付けられ、他方の端部に前記脱落防止機構との嵌合部が設けられたアーム部とを有し、
前記脱落防止機構は、
前記表示装置に設けられた、下端が開放され、該下端から挿入された前記嵌合部が前記表示装置の上下方向に移動可能に嵌合する溝部と、
前記溝部と嵌合している前記嵌合部が前記下端から外れることを防止する防止部材と、
前記溝部の下端に設けられた、前記防止部材を取り付けるための取付部と、を有すること
を特徴とする表示装置。
【請求項２】
請求項1に記載の表示装置であって、
前記防止部材はネジ或いはボルトであり、
前記取付部は、前記防止部材が螺着されるネジ穴或いはボルト穴であること
を特徴とする表示装置。
【請求項３】
請求項１に記載の表示装置であって、
前記防止部材は、両端部にそれぞれ穴が設けられ、中央部に突起部が設けられた板材であり、
前記取付部は、前記溝部の下端の両側に設けられた、前記下端から挿入された前記防止部材の前記穴と掛着するフック部であること
を特徴とする表示装置。
【請求項４】
請求項３に記載の表示装置であって、
前記突起部は、ネジ或いはボルトであり、
前記防止部材は、前記突起部が螺着されるネジ穴或いはボルト穴を有すること
を特徴とする表示装置。
【請求項５】
請求項２または４に記載の表示装置であって、
前記ボルトは、六角穴つきボルト或いは、頭部に星型形状の穴部を有するボルトであること
を特徴とする表示装置。
【請求項６】
請求項２、４および５のいずれか一項に記載の表示装置であって、
前記脱落防止部材を覆うカバー部を有し、
前記カバー部は、前記ネジ或いはボルトの頭部に掛着するための引っかけ部を有する板材であること
を特徴とする表示装置。
【発明の詳細な説明】
【技術分野】
【０００１】
本発明は、保持部に保持されている表示装置の脱落防止技術に関し、特に車載用表示装置の保持部からの脱落防止技術に関する。
【背景技術】
【０００２】
近年、ナビゲーション装置や車載用テレビ等のように、表示部を有する装置を車内で利用できるようにした車載用表示装置が普及してきている。そして、これらの車載用表示装置では、ユーザ（運転者又は同乗者）の見易い位置に表示画面が向くように、表示装置の向きや位置をユーザが自由に調整できる構成を採用しているものが多い。
【０００３】
従来の車載用表示装置には、ディスプレイスタンドのベース部を車内のダッシュボードに両面テープで固定し、該固定したディスプレイスタンドに表示装置（以下において「ディスプレイ」という）を保持させているものがある（例えば、特許文献１）。特許文献１では、ディスプレイの背面に下端を開放した溝部が設けられている。ディスプレイスタンドは、ベース部およびディスプレイ支持部を有している。また、ディスプレイ支持部は、突起部および固定ダイヤルを有している。そして、ディスプレイ支持部の突起部を前記ディスプレイの背面に設けられた溝部に差し込んで固定ダイヤルを閉め込むことで、ディスプレイをディスプレイスタンドに固定するようにしている。
【０００４】
ここで、従来技術によるディスプレイの向きや位置をユーザが自由に調整できるディスプレイ保持機構について図面を用いて説明する。図５は、従来技術によるディスプレイスタンドがディスプレイを保持する構成を説明するための図である。
【０００５】
図示するように、ディスプレイ１０は、背面に下端を開放した嵌合溝１１が設けられている。ディスプレイスタンド２０は、ベース２１、アーム２２、およびベース２１に取り付けられているアーム接続部２３を有している。アーム２２は、一方の端部がアーム接続部２３に接続され、もう一方の端部にディスプレイ保持部２４が設けられている。そして、ディスプレイ保持部２４は、突起部２６および固定ダイヤル２５を有している。突起部２６をディスプレイ１０の背面の嵌合溝１１に下端から差し込んで、嵌合溝１１の任意の位置（上下方向の位置）において、固定ダイヤル２５を閉め込むことで、嵌合溝１１が突起部２６および固定ダイヤル２５にはさまれ、ディスプレイ部１０がディスプレイスタンド２０に保持されるようになる。
【０００６】
このように、ディスプレイ保持部２４は、嵌合溝１１の任意の位置（上下方向の位置）でディスプレイを保持できるように構成されている。また、ユーザは、ディスプレイ１０をディスプレイスタンド２０に保持させるために工具を使う必要がない（手で固定ダイヤル２５を閉めるように構成されている）。
【０００７】
なお、アーム２２は、アーム接続部２３に接続された端部を基点として、矢印３３方向に移動可能に構成されている。さらに、アーム接続部２３は、図示するＸ−Ｙ平面を３６０度回転可能に構成されている。そのため、アーム２３を上下移動させ、或いはアーム接続部２３を回転させることにより、ユーザの所望する位置にディスプレイ１０の表示画面の位置の微調整を行うことができる。
【０００８】
【特許文献１】特開平６−１９９１８８号公報（第図１）
【発明の開示】
【発明が解決しようとする課題】
【０００９】
しかしながら、上記従来技術（特許文献１および上記図５で説明したディスプレイスタンドがディスプレイ部を保持する構成）は、ディスプレイの向きや位置の調整をユーザが簡単に行うことができることを考慮して（工具を利用しないで調整できるようにしている）、ディスプレイの固定を固定ダイヤルの締め込みによる「摩擦力（押圧力）」だけで行うようにしている。そのため、以下のような問題を有している。
【００１０】
具体的には、車載されたディスプレイは、自動車の走行による振動を受けることとなる。このような振動を受けた場合、ディスプレイを固定している固定ダイヤルの締め込みが緩んでくることがある。そして、固定ダイヤルの締め込みが緩んできた状態において、何らかの衝撃が自動車に加わった場合（例えば、自動車の加速や急ブレーキによる衝撃からくる振動等）、ディスプレイがディスプレイスタンドから脱落する可能性がある。例えば、図５の例で説明すると、固定ダイヤル２５の締め込みが緩んでいる場合に、何らかの衝撃を自動車が受けて、ディスプレイ１０に図示する矢印５０方向の力が加わったとする。その場合、ディスプレイ１０の背面の嵌合溝１１の開放された下端から取付部２４が外れる可能性がある（脱落により高価なディスプレイ部１０が損傷する可能性もある）。
【００１１】
なお、上記の場合、ディスプレイの固定をユーザが行うようにしているため、メーカ側が所望するような強度で固定ダイヤルが締められないことも想定される（特にお年寄りや女性等の握力の弱いユーザが固定ダイヤルを締めこんだ場合、十分な締め込みがされないこともある）。
【００１２】
本発明は上記事情に鑑みてなされたものであり、本発明の目的は、車載用表示装置の脱落を防止することにある。
【課題を解決するための手段】
【００１３】
上記課題を解決するため、本発明の一態様は、保持部からの脱落防止機構を備えた表示装置であって、前記保持部は、設置箇所に固定されるベース部と、一方の端部が前記ベース部に取り付けられ、他方の端部に前記脱落防止機構との嵌合部が設けられたアーム部とを有する。そして、前記脱落防止機構は、前記表示装置に設けられた、下端が開放され、該下端から挿入された前記嵌合部が前記表示装置の上下方向に移動可能に嵌合する溝部と、前記溝部と嵌合している前記嵌合部が前記下端から外れることを防止する防止部材と、前記溝部の下端に設けられた、前記防止部材を取り付けるための取付部とを有する。ここで、前記防止部材は、ネジ或いはボルトであり、前記取付部は、前記防止部材が螺着されるネジ穴或いはボルト穴であることとしてもよい。
【００１４】
また、前記防止部材は、両端部にそれぞれ穴が設けられ、中央部に突起部が設けられた板材であり、前記取付部は、前記溝部の下端の両側に設けられた、前記下端から挿入された前記防止部材の前記穴と係止するフック部であることとしてもよい。また、前記突起部は、ネジ或いはボルトであり、前記防止部材は、前記突起部が螺着されるネジ穴或いはボルト穴を有することとしてもよい。
【発明の効果】
【００１５】
このように本発明によれば、車載用表示装置の脱落を防止することができる。
【発明を実施するための最良の形態】
【００１６】
以下、本発明の実施の形態について図面を用いて説明する。
【００１７】
最初に本発明の第１の実施形態が適用された表示装置の脱落防止機構について図１を用いて説明する。
【００１８】
図１は、本発明の実施形態が適用された表示装置の脱落防止機構を説明するための図である。図１では、（ａ）図に本第１の実施形態の脱落防止機構が適用されるディスプレイおよびディスプレイスタンドの概略図を示し、（ｂ）図に本第１の実施形態の脱落防止機構の概略図を示し、（ｃ）図および（ｄ）図に本第１の実施形態の脱落防止機構の脱落防止の仕組みを説明する図を示している。なお、上記従来技術で説明した図５と同じ構成については、同じ符号を用いることとする。
【００１９】
さて、本第１の実施形態の脱落防止機構は、（ａ）図に示すように、例えば、ディスプレイ１０およびディスプレイスタンド２０を有する車載用表示装置に適用される。ここで、ディスプレイ１０およびディスプレイスタンド２０の構成は、上記図５で示したものと同じ構成のものを用いることとする。
【００２０】
（ａ）図に示すベース２１は、自動車の内部の適当な位置に固定されている。なお、以下の説明においては、ベース２１が、自動車内部のダッシュボードに固定されている場合を例にして説明する。また、本第１の実施形態では、ベース２１をダッシュボードに固定する方法については、特に限定しない。例えば、ベース２１をダッシュボードにビス止めすることで固定するようにしてもよい。また、例えば、ベース２１を粘着度が強い両面テープにより、ダッシュボードに固定するようにしてもよい。さらに、本第１の実施形態では、ディスプレイ１０の具体的構成について特に限定しない。例えば、ディスプレイ１０には、液晶ディスプレイを用いることができる。
【００２１】
続いて、本第１の実施形態の脱落防止機構の具体的な構成を説明する。
（ｂ）図に示すように、ディスプレイ１０の背面には嵌合溝１１が設けられ、嵌合溝１１の下方には開放部１１ａが設けられている。開放部１１ａの形状については、特に限定しない。ディスプレイスタンド２０の突起部２６を嵌合溝１１の内側に引き込むことができる形状を有していればよい。そして、本第１の実施形態の脱落防止機構は、上記嵌合溝１１と、開放部１１ａに設けられたネジ取付部１２と、ネジ取付部１２に着脱可能に構成されている脱落防止ネジ１３（或いはボルト）とを有している。具体的には、脱落防止機構は、ディスプレイ１０をディスプレイスタンド２０のディスプレイ保持部２４に固定した状態において、ネジ取付部１２に脱落防止ネジ１３（或いはボルト）が螺着されている。
【００２２】
続いて、（ｃ）図および（ｄ）図を用いて本脱落防止機構のディスプレイ１０の脱落防止の仕組みを説明する。（ｃ）図には、ディスプレイスタンド２０にディスプレイ１０が保持されている状態において、ネジ取付部１２に脱落防止ネジ１３が螺着された状態が示されている。図示するように、ディスプレイスタンド２０の突起部２６及び固定ダイヤル２５に嵌合溝１１が挟み込まれることで、ディスプレイ１０は、ディスプレイスタンド２０に保持されている。なお、上述したように、ディスプレイ１０は、固定ダイヤル２５を手で回転させることにより、簡単に上下の位置調整ができるように構成されている。
【００２３】
車載されたディスプレイスタンド２０に保持されたディスプレイ１０は、自動車から振動を受けるため、所望する強度で固定ダイヤル２５を締めていないと、固定ダイヤル２５の締め付けが緩んでくることがある。その際に、（ｄ）図に示すように、ディスプレイ部１０に図示する矢印５０方向の力が加わったとする（例えば、舗装されていない道路を走行した場合等に自動車が受ける振動により、矢印５０方向の力が加わることがある）。その場合、ディスプレイ保持部２４は、ディスプレイ１０を基準として、嵌合溝１１の開放部１１ａ方向に移動することがある。本第１の実施形態では、このような方向にディスプレイ保持部２４が移動した場合であっても、ディスプレイ保持部２４の突起部２６は、脱落防止ネジ１３により下方への移動を妨げられる。そのため、ディスプレイ保持部２４は、脱落防止ネジ１３より下方へは移動できない。その結果、ディスプレイ１０のディスプレイスタンド２０からの脱落を防止することができる。
【００２４】
このように、本第１の実施形態によれば、複雑な脱落防止機構を設けることなく、ディスプレイ１０の脱落防止を実現している。そのため、本第１の実施形態では、低コストで車載用表示装置の脱落防止を実現することができる。また、本第１の実施形態の脱落防止機構は、嵌合溝１１の開放部１１ａに脱落防止ネジを螺着させる構成を採用している。そのため、本実施形態によれば、ディスプレイ保持部２４の取付け位置の上下方向の自由度、およびユーザが行う位置調整の作業性を損なうことなく、ディスプレイ１０の脱落防止を実現することができる。
【００２５】
また、本第１の実施形態では、脱落防止ネジ１３を、嵌合溝１１に螺着させるようにしているため、螺着したネジを工具で取り除かなければ、ディスプレイ１０をディスプレイスタンド２０から取り外すことは出来ない。そのため、近年、増加しているナビゲーション装置や車載ＴＶ等の高価な情報機器を盗難する車上荒しに対し（近年、これらの盗難品を中古市場で取引したり、インターネット上で取引きしたりするケースや、海外に輸出するケースが増加している）、盗難防止を図ることが出来る（車上荒しを行う者は、螺着された脱落防止ネジを外すための工具を有していないことが多い）。
【００２６】
また、上記図１に示した本第１の実施形態において、脱落防止ネジ１３に、通常のドライバでは、取り外しできない形状のボルトを用いるようにしてもよい。図２は、本実施形態に適用された脱落防止ネジ１３の頭部の形状を例示した図である。そして、図示するように、例えば、脱落防止ネジ１３として、頭部１３ａを有する六角穴つきボルトや、頭部１３ｂ（星型形状の穴部）を有するボルトを利用するようにしてもよい。
【００２７】
このように、特殊な形状を有するボルトを脱落防止ネジ１３として、ディスプレイ１０の嵌合溝１１に螺着しておけば、車上荒し等からディスプレイ１０が盗難される可能性を低下させることができる。すなわち、脱落防止ネジ１３として六角穴つきボルトを用いるようにすれば、車上荒しを行う者（以下において「盗難者」という）が、六角レンチを有していなければ、ディスプレイ１０を取り外すことが出来ない。また、脱落防止ネジ１３として星型形状の穴部を有するボルトを用いるようにすれば、盗難者は、専用工具を用いなければ、ディスプレイ１０を取り外すことが出来ない（盗難者が六角レンチを有している可能性は低く、また、専用部品である星型形状の穴部を有するボルトを取り外す専用工具を有している可能性は極めて低い）。
【００２８】
さらに、上記図１および図２で説明した本第１の実施形態において、脱落防止ネジ１３を外部から隠蔽する隠蔽手段を、さらに設けるようにして、上述した脱落防止ネジ１３が有する盗難防止の効果を高めるようにしてもよい。以下において、脱落防止ネジ１３を外部から隠蔽する隠蔽手段について図３を用いて説明する。図３は、本実施形態の脱落防止ネジ１３の隠蔽手段を例示した図である。図示する例では、カバー３０を用いて嵌合溝１１の開放部１１ａを覆うようにしている。具体的には、カバー３０は、Ｌ型形状に構成されている板材であって、Ｌ型形状の内側部分にフック３１を有している。フック３１は、ネジ１３の頭部に掛着可能に構成されている。そして、カバー３０が有するフック３１を脱落防止ネジ１３の頭部に掛けて、フック３１を脱落防止ネジ１３の頭部に掛着させることで、外部から脱落防止ネジを隠蔽することができる。このように、カバー３０で、脱落防止ネジ１３を隠蔽しておけば、盗難者は、脱落防止ネジの存在を簡単に発見することができない。そのため、盗難者から車載用表示装置が盗難される可能性を低下させることができる。
【００２９】
なお、本実施形態では、カバー３０の具体的構成については、特に限定しない。例えば、カバー３０に樹脂性のカバーを用いることができる。また、カバー３０にディスプレイ１０の裏面部分と同じ色を施すようにするとよい。このようにすることで、盗難者が、カバー３０の存在に気がつく可能性を減少させることができる。また、図３で示した、カバー３０の形状はあくまでも例示である（Ｌ型形状を構成するものでなくてもよい）。
【００３０】
続いて、本発明の第２の実施形態について図４を用いて説明する。本第２の実施形態は、上記第１の実施形態のように、直接、脱落防止ネジ１３を嵌合溝１１の開放部１１ａに螺着する構成ではなく、脱落防止ネジが螺着された脱落防止部材を、開放部１１ａに設けられた嵌合溝に嵌合させて取り付ける構成を採用したものである。図４は、本発明の第２の実施形態が適用された車載用表示装置の脱落防止機構を説明するための図である。図４では、（ａ）図に本第２の実施形態の脱落防止機構の構成を説明するための図を示し、（ｂ）図に本第２の実施形態の脱落防止部材が取り付けられたディスプレイ１０を背面から見た斜視図を示している。なお、上記第１の実施形態で説明した構成と同じ構成については同じ符号を用いることとする。
【００３１】
さて、本第２の実施形態に用いるディスプレイスタンド２０の構成は第１の実施形態のものと同じである。また、本第２の実施形態のディスプレイ１０は、上述した第１の実施形態のディスプレイ１０と嵌合溝１１の下方に設けられた開放部の形状が異なる以外は、同じ構成を有している。そこで、以下において、異なる部分を中心に説明する。
【００３２】
（ａ）図に示すように、本第２の実施形態の脱落防止機構は、嵌合溝１１と、脱落防止ネジ４１が取り付けられた脱落防止部材４０と、ディスプレイ１０の嵌合溝１１が有する開放部１１ａの下側に設けられた脱落防止部材４０を嵌合させる形状を構成する嵌合部４３とを有する。
【００３３】
脱落防止部材４０は、長手方向がＬ字に折れ曲がっているＴ字形状を有する板材として構成されている。脱落防止部材４０は、Ｔ字形状を有する面に外側から脱落防止ネジ４１が螺着されていて、かつ脱落防止ネジ４１の両端には、略四角形の穴４２ａ、ｂが設けられている。また、脱落防止ネジ４１は、工具により脱落防止部材４０から着脱自在に構成されている。なお、本第２の実施形態では、脱落防止部材４０として、長手方向がＬ字に折れ曲がっているＴ字形状を有する板材を適用する場合をについて説明するが、これは例示に過ぎない。例えば、脱落防止部材４０として用いられる板材は、Ｌ字に折れ曲がっていなくてもよい。また、上記実施形態では、脱落防止部材４０に脱落防止ネジ４１が螺着される場合について説明しているが、特にこれに限定されるものではない。脱落防止部材４０は、図示する脱落防止ネジ４１の位置に着脱可能に構成されている突起部が設けられていればよい。
【００３４】
嵌合部４３は、ディスプレイ１０の背面の嵌合溝１１が有する開放部１１ａに、脱落防止部材４０を嵌合できる形状で構成されている。また、嵌合部４３は、脱落防止部材４０が有する２つの穴４２ａ、ｂに挿入可能な形状の２つのフック４４（図示する例では、フックは１つしか示していない）を有している。
【００３５】
脱落防止部材４０は、図示する向き、および図示する矢印方向で嵌合部４３に挿入され、かつ穴４２ａ、ｂが２つのフック４４に引っかけられることで、嵌合部４３に係止される。そして、ディスプレイ１０に脱落防止部材４０が係止された場合、（ｂ）図に示すように、上記第１の実施形態と同様、脱落防止ネジ４１が、ディスプレイ保持部２４の突起部２６の下方への移動の妨げとなる。そのため、本第２の実施形態によれば、上記第１の実施形態と同様に、固定ダイヤル２５の締め付けが緩んでいる状態で、ディスプレイ部１０に図示する矢印５０方向の力が加わったとしても、脱落防止ネジ４１により、ディスプレイ１０が脱落することを防止することができる。
【００３６】
また、例えば、ディスプレイ１０を修理したい場合や交換したい場合等には、脱落防止ネジ４１を、工具を用いて脱落防止部材４０から外すことで、ディスプレイ１０をディスプレイスタンド２０から外すことが出来る（脱落防止部材４０は、脱落防止ネジ４１が外された後には、突起部２６の下側方向への移動を妨げる構成を有していない）。
【００３７】
なお、本第２の実施形態では、フック４４および穴４２の具体的な構成については特に限定しない。フック４４を穴４２に嵌合させることにより、脱落防止部材４０が嵌合部４３に嵌着されるように構成されていればよい。したがって、穴４２およびフック４４の数は、いくつでもかまわないし、穴４２の形状も略四角形状でなくてもよい（例えば、略円形状でもよい）。
【００３８】
さらに、フック４４には、一度、フック４４を穴４２に嵌合した後は、脱落防止部材４０を嵌合部４３から取り外しすることが出来ない機能を有するフック（以下において、「ワンウェイ方式のフック」という）を用いるようにするとよい。このような構成にしておけば、盗難に遭遇した場合であっても、脱落防止部材４０を取り外されることがない。そのため、車載用表示装置が盗難者から盗難される可能性を低減させることができる。
【００３９】
また、本第２の実施形態においても、図２のように、脱落防止ネジ４１に、通常のドライバでは、取り外しできない形状のボルトを用いるようにしてもよい。また、本第２の実施形態においても、図３に示す、カバー３０を用いて、脱落防止ネジ４１を外部から隠蔽するようにしてもよい（脱落防止ネジ４１に通常のドライバでは取り外しできない形状のボルトを用いた上で、カバー３０で脱落防止ネジ４１を外部から隠蔽するようにしてもよい）。
【００４０】
このように、本第２の実施形態によれば、ユーザは、ディスプレイスタンド２０にディスプレイ１０を取り付けた後、工具を使わない簡単な作業で、脱落防止部材４０を取り付けることが出来る。また、脱落防止部材４０を取り付けた後でも、固定ダイヤル２５を操作することにより、ディスプレイ２０の上下方向の固定位置を調整することができる。そのため、本第２の実施形態によれば、ユーザの見易い位置に表示画面が向くように、ディスプレイの位置をユーザが簡単に調整できる機能を残したままで、ディスプレイ１０の脱落防止を実現することが出来る。
【００４１】
また、上述したように、脱落防止部材４０を装着するためのフックにワンウェイ方式のフックを用いるようにしておけば、ディスプレイ１０を取り外すために工具が必要にとなることから（脱落防止ネジ４１を外す必要があるため）、ディスプレイ１０の盗難防止効果を高めることができる。
【００４２】
なお、本発明は以上で説明した実施形態に限定されるものではなく、本発明の要旨の範囲内において種々の変形が可能である。例えば、上記第１の実施形態の説明では、ディスプレイ１０の脱落を防止するために、ネジ取付部１２に脱落防止ネジ１３を螺着させる場合について説明したが、特にこれに限定するものではない。例えば、ネジ取付部１２に嵌合穴を設けておいて、嵌合穴に突起部材を嵌合させるようにして、ディスプレイ１０の脱落を防止するようにしてもよい。そして、この突起部材の嵌合穴への着脱を専用部材（鍵、専用工具）により行うようにしておけば、ディスプレイ１０の盗難防止効果を高めることができる。
【００４３】
また、例えば、嵌合溝１１の開放部１１ａに出し入れ可能な突起部を有する突起機構を設けておく。そして、ディスプレイスタンド２０にディスプレイ１０を保持させた状態で、突起機構が有する突起部を引き出してディスプレイ１０の脱落を防止させるようにしてもよい。さらに、この場合に突起部の出し入れを専用部材（例えば鍵や専用の工具）で行う構成にしておけば、上記同様に盗難防止効果を高めることができる。
【００４４】
また、ディスプレイ１０の嵌合溝１１の開放部１１ａに、挿入された突起部２６が上側方向（図１における矢印５０方向）にだけ移動できる移動制限機構を設けるようにしてもよい。このようにしておけば、ディスプレイスタンド２０にディスプレイ１０を取り付ける際、突起部２６を嵌合溝１１に挿入することを制限しないで（挿入する方向には移動可能であるため）、ディスプレイ１０の脱落防止を実現することができる（突起部２６は移動制限機構により下側方向には移動できないため）。また、上記移動制限機構を工具により着脱可能な構成としておくことで、ディスプレイ１０が故障した際には、移動制限機構を取り外して、ディスプレイ１０をディスプレイ２０から取り外すことが可能となる。
【図面の簡単な説明】
【００４５】
【図１】本発明の第１の実施形態が適用された脱落防止機構を説明するための図である。
【図２】本発明に適用された脱落防止ネジ１３の頭部の形状を例示した図である。
【図３】本発明に適用された脱落防止ネジ１３の隠蔽手段を例示した図である。
【図４】本発明の第２の実施形態が適用された脱落防止機構を説明するための図である。
【図５】従来技術によるディスプレイスタンドがディスプレイ部を保持する構成を説明するための図である。
【符号の説明】
【００４６】
１０…ディスプレイ、１１…嵌合溝、１２…ネジ取付け部、１３…脱落防止ネジ、２０…ディスプレイスタンド、２１…べース、２２…アーム、２３…アーム保持部、２４…ディスプレイ保持部、２５…固定ダイヤル、２６…突起部、
３０…カバー、３１…フック、４０…脱落防止部材、４１…脱落防止ネジ、４２…穴、４３…嵌合部、４４…フック
【図１】
2005148347.tif 000003
【図２】
2005148347.tif 000004
【図３】
2005148347.tif 000005
【図４】
2005148347.tif 000006
【図５】
2005148347.tif 000007